(57)【要約】  後顎骨領域のセグメント遠心化のための歯列矯正装置が開示される。歯列矯正装置は、小臼歯または犬歯に取り付けるための近心側基部表面を有する近心側要素と、牽引要素と結合するための突出部と、アームの遠心端に細長い横軸ピンを備えるアームと、臼歯に取り付けるように構成された遠心側基部表面を有する遠心側基部と、横軸ピンを受容するためのレセプタクルとを備える。第１の軸は遠心側基部表面に対して実質的に垂直であると定義され、横軸ピンは近心表面および遠心表面を有し、レセプタクルの内部形状は第１の軸の周りの回転がレセプタクルの内側に接触する近心および／または遠心表面によって制限されるようなものである。本開示はまた、歯列矯正キットに関する。【選択図】図３
2020521577.tif 000002
【特許請求の範囲】
【請求項１】
小臼歯または犬歯に取り付けるように構成された近心側基部表面と、牽引要素と結合するための突出部と、遠心端に細長い横軸ピンを備えたアームと、を有する近心側要素と、
臼歯に取り付けるように構成された遠心側基部表面を有する遠心側基部と、
前記横軸ピンを受容するためのレセプタクルとを備え、
第１の軸が前記遠心側基部表面に実質的に垂直であるように定義され、第２の軸が前記遠心側基部表面に実質的に平行でありかつ前記第１の軸に実質的に垂直である近心側−遠心側方向として定義され、
前記横軸ピンは近心側表面および遠心側表面を有し、前記レセプタクルの内部形状は前記横軸ピンが１°と４５°との間の角度にわたって前記第１の軸の周りで回転することを可能にするものであり、前記第１の軸の周りの回転は前記レセプタクルの内側に接触する近心側および／または遠心側表面によって制限される、
後顎骨領域のセグメント遠心化のための歯列矯正装置。
【請求項２】
前記横軸ピンは、５°と２０°との間、任意選択で８°と１５°との間で、前記第１の軸の周りを回転させることができる、請求項１に記載の歯列矯正装置。
【請求項３】
前記横軸ピンが実質的に円筒形である請求項１または請求項２に記載の歯列矯正装置。
【請求項４】
前記横軸ピンの断面寸法が、前記アームへの取り付けの中心点から前記ピンの両端に向かって徐々に減少する、請求項１〜請求項３のいずれか一項に記載の歯列矯正装置。
【請求項５】
前記第１の軸に沿った前記横軸ピンの高さが、前記横軸ピンの長手方向軸に沿った前記横軸ピンの長さ未満、具体的には３／４未満、より具体的には１／２未満である請求項１〜請求項４のいずれか一項に記載の歯列矯正装置。
【請求項６】
前記横軸ピンは長手方向軸を有し、前記レセプタクルは、前記横軸ピンが０°と６０°との間、特に１５°と４５°との間の角度にわたって、前記長手方向軸の周りで回転することを可能にするものである請求項１〜請求項５のいずれか一項に記載の歯列矯正装置。
【請求項７】
前記横軸ピンは上面および下面を有し、前記レセプタクルの内部形状は前記横軸ピンが前記第２の軸の周りで、１°と３０°との間、特に５°と１５°との間の角度にわたって回転することを可能にするものであり、前記第２の軸の周りの回転は前記レセプタクルの内側に接触する前記上面および／または下面によって制限される、請求項１〜請求項６のいずれか一項に記載の歯列矯正装置。
【請求項８】
中心平面が前記第１の軸および前記第２の軸によって画定され、前記横軸ピンが前記中心平面に対して非対称である請求項１〜請求項７のいずれか一項に記載の歯列矯正装置。
【請求項９】
中心平面が前記第１の軸および前記第２の軸によって画定され、前記レセプタクルが前記中心平面に対して非対称である請求項１〜請求項８のいずれか一項に記載の歯列矯正装置。
【請求項１０】
前記近心側要素の前記突出部がフックである請求項１〜請求項９のいずれか一項に記載の歯列矯正装置。
【請求項１１】
前記横軸ピンの前記長手方向軸と前記アームの前記長手方向軸との間の角度が、７０°と９０°との間である請求項１〜請求項１０のいずれか一項に記載の歯列矯正装置。
【請求項１２】
請求項１〜請求項１０のいずれか一項に記載の歯列矯正装置と、１つ以上のゴムバンドとを含むキット。
【請求項１３】
前記ゴムバンドと結合するためのアンカーをさらに含む、請求項１２に記載のキット。
【請求項１４】
前記遠心アンカーがブラケットである請求項１３に記載のキット。
【発明の詳細な説明】
【技術分野】
【０００１】
本出願は、２０１７年５月２９日に出願された欧州特許出願ＥＰ１７３８２３０６．３の利益を主張する。
【０００２】
本開示は歯列矯正装置に関し、より詳細には、後顎骨セクタのセグメント遠心化のための歯列矯正装置に関する。
【背景技術】
【０００３】
患者の不正咬合に応じて、様々な歯列矯正治療が利用可能である。これらの治療のいくつかでは、残りの歯のための空間を作り出すために、歯の抜歯が必要とされ得る。いくつかの治療では、おそらく１つ以上の歯の抜歯と組み合わせて、遠心化要素が使用されてもよい。
【０００４】
本明細書では、歯のセグメントとは、隣接する歯のグループ、すなわち、２つ以上の隣接する歯として定義される。歯のセグメントの遠心化とは、一群の歯を一緒に動かすことに関連する。特に、本開示では、遠心化とは、歯の群を口の遠心方向に移動させることを指す。歯の群は、上顎骨（ｍａｘｉｌｌａ）または下顎骨（ｍａｎｄｉｂｌｅ）に位置してもよい。
【０００５】
特定の遠心化要素は例えば、ＥＰ  １  ４３３  ４３５およびＥＰ  １  ６４９  ８２４から公知である。これらの遠心化器は、特に犬歯‐臼歯後上顎領域のセグメント遠心化に適応している。これらの文献の遠心化器はその基部によって上部犬歯に固定され得る近心側要素を含み、さらに、その基部によって上部臼歯、特に第１臼歯に固定され得る遠心側要素を含む。
【０００６】
これらの設計における近心側要素は、基部と、それを遠心側要素に接続するアームとの両方を備える。アームは、実質的にアーチ形状であってもよく、その一端にボール部材を備えてもよい。このボール部材は、ボール部材と相補的な形状を有する遠心側要素のレセプタクル内に受容される。
【０００７】
近心側要素は、フック要素として働くことができる、実質的に前方に延びる鈍い突出部を含むことができる。使用時には、フックを有するブラケットを下顎臼歯に取り付けることができ、（歯列矯正）ゴムバンドをこのフックおよび近心側要素上のフック要素の周りに吊るすことができる。
【０００８】
このようにして、上顎犬歯を後方に引っ張る力が提供される。患者が例えば、堅固なアンカーとして作用し、下顎の歯を適所に固定する副子（または別の固定装置）を着用している場合、下顎の歯が前方に動かないこと、および上顎犬歯が後方に引っ張られることを確実にすることができる。
【０００９】
遠心化器の近心側要素と遠心側要素との間の接続のために、上顎臼歯もまた、このようにして後方に押され得る。同時に、犬歯と臼歯との間のアームの形状および臼歯上の遠心側要素の位置のために、回転力も臼歯に及ぼされる。この回転力は、上顎臼歯の口蓋根の周りの旋回をもたらし得る。また、臼歯の遠心方向の回転（「起立」）が生じ得る。したがって、後方への力および回転力が、同時に臼歯に及ぼされ得る。
【００１０】
上顎臼歯が遠心方向に過度に回転することを回避するために（すなわち、この場合、上顎臼歯は、後方に傾けられる配向をとる）、レセプタクルおよびボール部材の形状は上顎臼歯に対するボール部材の所定の回転によって、ボール部材がレセプタクルの内側に接触し、それ以上回転することができないようなものである。この目的のために、近心側要素および遠心側要素の両方が、臼歯および犬歯上の正しい高さに取り付けられ、歯の表面上の局所的に規定された下顎−上顎（上下垂直）方向に沿って実質的に真っ直ぐに取り付けられる。アームは、ボール部材に対して所定の角度で設けられる。犬歯および臼歯の両方が実際に真っ直ぐである場合、この角度はボール部材または近心側要素のアームがレセプタクルの境界に接触し、それ以上回転できないことを確実にする。
【００１１】
同様に、ボール部材の形状およびレセプタクルの境界は、その口蓋根の周りの上臼歯の回転が制限されるようなものであってもよい。所定の回転に達すると、アームはレセプタクルの境界に接触し、ボール部材はそれ以上回転することができない。
【００１２】
したがって、犬歯−臼歯セグメントの遠心化を、上顎後方領域における歯の組の適切な（再）配向と組み合わせることができることを確実にすることができる。
【００１３】
これらの従来技術の遠心化装置に関連する１つの欠点は、患者の下顎の臼歯と頬の内側との間に十分な空間がないため、多くの患者の下顎には取り付けることができないことである。また、このような遠心化装置が下顎の臼歯に取り付けられると、上顎の臼歯が遠心化装置と衝突する可能性がある。遠心化装置の高さは、いくつかの患者の下顎における治療のために減少される必要がある。
【００１４】
これらの従来技術の遠心化装置に関連するさらなる欠点は、近心側要素のアームに沿ったねじれに適応する能力が制限されることである。アームに沿ったねじれは、例えば、臼歯が近心側要素が取り付けられる犬歯／小臼歯に対して内側に（すなわち、舌方向に）傾斜しているために生じ得る。これらの場合、遠心化装置を正確に位置決めすることは常に可能であるとは限らない。
【００１５】
米国特許出願公開第２０１１／０２４４４１４号は、欧州特許第１  ４３３  ４３５号および欧州特許第１  ６４９  ８２４号に記載された装置と比較して、より低い高さを有するさらなる遠心化装置を提供する。米国特許出願公開第２０１１／０２４４４１４号の遠心化装置は、犬歯／小臼歯および臼歯に連結された単一の要素からなる。ボール部材およびレセプタクルを含むカップリングは、この装置には存在しない。これは高さの減少を可能にし、下顎骨における多くの患者の治療において装置を使用することを可能にするが、遠心側要素に対する近心側要素の回転、およびボール部材またはアームおよびレセプタクルの対応する衝突点が排除されるので、遠心化装置の機能性を制限する。したがって、これらの装置は、「起立」およびねじれの両方において臼歯の位置を調節する能力が限られている。
【００１６】
前述の欠点のいくつかを少なくとも部分的に低減するセグメント遠心化装置が必要とされている。
【発明の概要】
【発明が解決しようとする課題】
【００１７】
第１の態様によれば、後顎骨領域のセグメント遠心化のための歯列矯正装置が提供される。
【課題を解決するための手段】
【００１８】
歯列矯正装置は小臼歯または犬歯に取り付けるように構成された近心側基部表面と、牽引要素と結合するための突出部と、遠心端に細長い横軸ピンを備えるアームとを有する近心側要素を具える。歯列矯正装置は、臼歯に取り付けられるように構成された遠心側基部表面を有する遠心側基部と、横軸ピンを受容するためのレセプタクルとをさらに備える。第１の軸は、遠心側基部表面に実質的に垂直であると定義され、第２の軸は遠心側基部表面に実質的に平行であり、第１の軸に実質的に垂直である近心−遠心方向と定義される。第１の態様によれば、横軸ピンは近心面および遠心面を有し、レセプタクルの内部形状は横軸ピンが１°と４５°との間の角度にわたって第１の軸の周りで回転することを可能にするものであり、第１の軸の周りの回転は、レセプタクルの内側に接触する近心面および／または遠心面によって制限される。
【００１９】
第１の態様によれば、頬の内側と装置との接触、または上顎の臼歯と装置との接触を回避することができるので、横軸ピンはボール部材と比較して高さを低減することができ、したがって、患者を煩わせることなく患者の下顎にも取り付けることができる。
第１の軸の周りの回転を制限するためにレセプタクルの内側と接触するように入る近心面と遠心面とを有する横軸ピンは、臼歯の起立を制限する機能を提供する。
【００２０】
いくつかの例では、横軸ピンが５°と２０°との間、特に８°と１２°との間の角度にわたって、第１の軸を中心に回転させることができる。
【００２１】
いくつかの例では、横軸ピンが実質的に円筒形であってもよい。さらなる例では、横軸ピンの断面寸法がアームへの取付けの中心点からピンの両端に向かって漸減してもよい。漸減の一態様は横軸ピンが第１の軸の周りを回転するときに、横軸ピンの遠心面と近心面とレセプタクルの内側との間の接触が滑らかに増加することである。
【００２２】
いくつかの例では、第１の軸に沿った横軸ピンの高さは横軸ピンの長手方向軸に沿った横軸ピンの長さ未満、具体的には長さの３／４未満、より具体的には横軸ピンの長さの１／２未満であってもよい。
【００２３】
いくつかの例では横軸ピンが長手方向軸を有してもよく、レセプタクルは横軸ピンが０°と６０°との間、特に１５°と４５°との間の角度にわたって長手方向軸の周りで回転することができるようなものであってもよい。長手方向軸に沿って許容される回転の度合は、アームがレセプタクルの境界に衝突することによって制限されてもよい。許容される回転の度合は、その口蓋根の周りの臼歯の回転を決定する。第１および第２の軸の周りの回転は、装置の高さの減少と組み合わせて、異なる歯のシナリオ、および異なる不正咬合を有する患者の処置を可能にする。
【００２４】
いくつかの例では横軸ピンが上面および下面を有し、レセプタクルの内部形状は横軸ピンが第２の軸の周りで、１°と３０°との間、特に５°と１５°との間の角度にわたって回転することを可能にするものであってもよく、第２の軸の周りの回転はレセプタクルの内側に接触する上面および／または下面によって制限される。これらの例では、歯列矯正装置のアームに沿ったねじり力によって引き起こされるモーメントおよび力がレセプタクルによって十分に吸収され得る。
【００２５】
いくつかの例では中心平面が（近心側要素のアームの高さにおける）第１の軸および第２の軸によって画定され、横軸ピンは中心平面に対して非対称である。いくつかの例では中心平面が第１の軸および第２の軸によって画定され、レセプタクルは中心平面に対して非対称であってもよい。装置に非対称性を導入して、ある方向に別の方向よりも多くの回転を可能にすることができる。非対称性は、横軸ピンおよび／またはレセプタクルの内側に存在してもよい。
【００２６】
いくつかの例では第３の軸が第１の軸および第２の軸に垂直に配置され、第３の軸と横軸ピンの長手方向軸との間の角度は０°と１５°との間であってもよい。
【００２７】
さらなる態様では、本明細書に開示される実施例のいずれかによる歯列矯正装置と、１つ以上のゴムバンドとを含むキットが提供される。ゴムバンドは、牽引装置の一例である。遠心方向の力を遠心化装置に加えることができる限り、ピストン、ピン、または他の要素を含む代替の牽引装置を使用することができる。任意選択で、キットは、ゴムバンドと結合するための遠心アンカーをさらに含むことができる。いくつかの例では、アンカーはブラケットであってもよい。他の例では、ＴＡＤ（Ｔｅｍｐｏｒａｒｙ  Ａｎｃｈｏｒａｇｅ  Ｄｅｖｉｃｅｓ）を使用することができる。
【００２８】
本発明の実施形態のさらなる目的、利点、および特徴は、説明を検討することによって当業者に明らかになるか、または本発明の実施によって学習され得る。
【図面の簡単な説明】
【００２９】
本発明の特定の実施形態は、添付の図面を参照して、非限定的な例として以下に記載される。
【００３０】
【図１ａ】本明細書で使用される用語のいくつかを示す図である。
【図１ｂ】本明細書で使用される用語のいくつかを示す図である。
【図１ｃ】患者の上顎における犬歯および臼歯に取り付けられた歯列矯正装置の一例を示す図である。
【図２ａ】一実施形態による歯列矯正装置の近心側要素の一例を示す図である。
【図２ｂ】一実施形態による歯列矯正装置の遠心側要素の一例を示す図である。
【図３ａ】異なる例による遠心側要素のレセプタクル内の横軸ピンの断面上面図を示す図である。
【図３ｂ】異なる例による遠心側要素のレセプタクル内の横軸ピンの断面上面図を示す図である。
【図４ａ】異なる例による遠心側要素のレセプタクル内の横軸ピンの断面側面図である。
【図４ｂ】異なる例による遠心側要素のレセプタクル内の横軸ピンの断面側面図である。
【発明を実施するための形態】
【００３１】
図１ａは、下顎（ｍａｎｄｉｂｌｅ）における歯の配置を概略的に示す。口１１０の前方部分は、近心領域と呼ぶことができる。口１２０の後部は、遠心領域と呼ぶことができる。歯１３０の背後の口の内側部分は、舌領域と呼ぶことができる。口１４０の外側部分は、唇側領域と呼ぶことができる。特定の歯（第１臼歯）に対する近心−遠心方向１１５は図１に概略的に示されており、図１には、同じ歯に対する舌−唇方向１３５も示されている。この用語は、本開示において遵守される。
【００３２】
図１ｂは、臼歯を概略的に示す。臼歯の近心側は参照符号１１０で示され、臼歯の遠心側は参照符号１２０で示される。参照符号１３０および１４０はそれぞれ、臼歯の舌側および唇側を示す。
【００３３】
本開示では、第１の軸が臼歯の舌側表面に取り付けられた遠心側要素の基部表面に実質的に垂直な軸として定義される。図１ｂでは、第１の軸は参照符号１で示されている。第２の軸は、遠心側要素の基部表面に実質的に平行に近心−遠心方向に沿って延在するものとして定義されてもよい。第２の軸２は、第１の軸１に垂直である。
【００３４】
図１ｃは、セグメント遠心化に使用される歯列矯正装置の実施を概略的に示す。歯列矯正装置は、近心側要素１０と遠心側要素２０とを含む。近心側要素１０は、犬歯、この特定の例では下顎犬歯５１に取り付けられるように構成され得る基部１１を有する。遠心側要素２０は、臼歯、例えば下顎臼歯５３に取り付けられるように構成されてもよい。
【００３５】
近心側要素１０は、遠心側要素２０のレセプタクル内に配置された横軸ピン１４で終端するアーム１３を含む。ピン１４および遠心側要素２０のレセプタクルに関するさらなる詳細は、他の図面を参照して説明される。
【００３６】
近心側要素１０は、ゴムバンド４０が周囲に配置され得る突出部１５を備える。ゴムバンド４０はまた、アンカー３０上の突出部またはフック３２の周りに配置され得、それによって近心側要素１５に力を及ぼす。アンカー３０は、例えば上顎臼歯に取り付けることができる。いくつかの例では、アンカーはブラケットであってもよい。
【００３７】
このようにして、上顎犬歯を後方に引っ張る力が提供される。患者が例えば、堅固なアンカーとして作用し、下顎の歯を適所に固定する副子（または別の固定装置）を着用している場合、下顎の歯が前方に動かないこと、および上顎犬歯が後方に引っ張られることを確実にすることができる。
【００３８】
近心側要素１０と遠心化器の遠心側要素２０との間の接続のために、上顎臼歯５３もまた、このようにして後方に押され得る。同時に、犬歯と臼歯との間のアームの形状および臼歯上の遠心側要素の位置により、回転力も臼歯５３に及ぼされる。この回転力は、上顎臼歯の口蓋根の周りの旋回をもたらし得る。また、臼歯の遠心方向の回転（「起立」）が生じ得る。したがって、後方への力および回転力が、同時に臼歯に及ぼされ得る。
【００３９】
代替構成では、ゴムバンド以外の牽引要素を使用することができる。代替の構成では、異なるアンカー、例えば、口蓋内に配置されたＴＡＤを使用することができる。いくつかの例ではアンカーがねじ穴を含むことができ、牽引要素は嵌合ねじを有するピンとすることができる。ピンをねじ穴にねじ込むことによって、牽引力を加えることができる。
【００４０】
図２ａは、歯列矯正装置の一例の近心側要素を示す。近心側要素１０は、使用時に近心−遠心方向に沿って配置されるアームを備える。アーム１３の遠心端には、横軸ピン１４が配置されている。近心側要素は、犬歯または小臼歯に取り付けられるように構成された近心側基部表面１２を有する近心側基部１１を有する。近心側基部表面１２は、犬歯に取り付けるための多数の突出部を含んでもよい。この基部表面は取り付ける必要がある特定の歯に適合するように、わずかに凹状であってもよい。
【００４１】
取り付ける前に、歯の表面を清浄にし、場合によってはエッチングし、続いて乾燥させることができる。次に、接着剤を歯の表面に塗布することができる。光を用いて活性化することができる接着剤を使用することが知られている。歯列矯正器具は場合によってはその基部表面上に接着剤も含み、次いで、歯の表面に取り付けられてもよい。例えば光を使用して接着剤を活性化した後、歯列矯正器具を歯にしっかりと固定することができる。例えば、複合樹脂またはガラスアイオノマーセメントのような、異なるタイプの接着剤を使用することができる。このプロセスはまた、「結合」とも呼ばれ、または使用される接着剤に応じて「セメント結合」とも呼ばれる。
【００４２】
図２ｂは、臼歯表面に固定されるように適合された遠心側基部表面２１を有する遠心側要素２０を図示する。図２ａに示される近心側基部表面と同様に、遠心側基部表面は、臼歯への結合を補助する突出部を含み得る。
【００４３】
アーム１３の遠心端は、レセプタクル２２内に配置された横軸ピンを含む。横軸ピン１４は、ピン１４の長手方向軸線の周りを回転するように構成されている。
【００４４】
遠心化装置の組み立てプロセスにおいて、レセプタクルはピンを変形させることなくピンを導入することができるように、もともとピン１４に対してわずかに拡大されてもよい。ピンを導入した後、例えば、完全な境界の局所的な変形または変形により、レセプタクルの開口を減少させることができる。特に、コイニングを伴う局所変形が好ましい例である。明確にするために、このような組み立てプロセスは製品を梱包し、出荷する前に、工業的設定で行われる。組み立ては、矯正歯科医によって行われない。
【００４５】
図３ａは、一例による遠心側要素のレセプタクル内の横軸ピンの断面上面図を示す。横軸ピンの長手方向軸線は、参照符号４で示されている。参照符号３で示される第３の軸は、第１の軸および図１ｂで定義される第２の軸に垂直であると定義されてもよい。すなわち、第３の軸は、使用中、実質的に垂直に配置されてもよい。横軸ピン１４の長手方向軸線４と第３の軸線３との間の角度は、０°と２０°との間とすることができる。この角度は、臼歯がアーム１３によって後方に押されるにつれて、臼歯が回転することにつれて、治療中に変化し得る。臼歯の回転は、第２の軸および第３の軸３に垂直な、第１の軸の周りの回転を生じる。
【００４６】
第１の軸の周りの回転の制限は、レセプタクルの内側の近心壁２５に接触する近心表面１４ｂによって制限される。第１の軸の周りの回転の制限はまた、レセプタクルの遠心壁２６に接触する遠心表面１４ａによって制限され得る。
【００４７】
アーム１３およびピン１４を含む同じ近心側要素の第２の向きは、破線で示されている。
【００４８】
横軸ピンの長手方向軸線とアームの長手方向軸線との間の鋭角βは、７０°と９０°との間とすることができる。
【００４９】
図３ｂは、さらなる例による、遠心側要素のレセプタクル内の横軸ピンの断面上面図を示す。図３ｂに示す例では、横軸ピンが長手方向軸に沿って変化する断面を有する。横軸ピン１４がアームに接続されている中心点から、断面寸法は両方向に減少して端部１４ｃ及び１４ｄに至る。
【００５０】
この減少の効果は、ピンとレセプタクルとの間の接触の増加（従って、さらなる回転に対する抵抗）がより緩やかであることである。
【００５１】
図４ａおよび４ｂは、異なる実施例による遠心側要素のレセプタクル内の横軸ピンの断面側面図を示す。図４ａの例では、横軸ピンは一定の断面を有し、アーム１３に対して対称である。しかしながら、レセプタクルは、非対称に形成されている。横軸ピンは、アーム１３の軸の周りを一方向にのみ回転することができる。回転限界は、横軸ピンの上面１４ｆとレセプタクルの内側上面２７との接触点と、横軸ピンの下面１４ｅと、レセプタクルの内側下面２８とによって決定される。
【００５２】
図４ｂの例では、横軸ピンとレセプタクルの両方がアーム１３に対して非対称である。非対称性は、別の方向よりも１つの方向においてより多くの回転を可能にするために使用され得る。
【００５３】
本明細書では本発明のいくつかの特定の実施形態および例のみが開示されているが、本発明の他の別の実施例および／または使用、ならびにそれらの明らかな修正および均等物が可能であることが当業者によって理解されるのであろう。さらに、本発明は、記載された特定の実施形態の全ての可能な組み合わせを包含する。したがって、本発明の範囲は、特定の実施形態によって限定されるべきではなく、以下の特許請求の範囲を公正に読むことによってのみ決定されるべきである。
【図１ａ】
2020521577.tif 000003
【図１ｂ】
2020521577.tif 000004
【図１ｃ】
2020521577.tif 000005
【図２ａ】
2020521577.tif 000006
【図２ｂ】
2020521577.tif 000007
【図３ａ】
2020521577.tif 000008
【図３ｂ】
2020521577.tif 000009
【図４ａ】
2020521577.tif 000010
【図４ｂ】
2020521577.tif 000011
【国際調査報告】
2020521577.tif 000012
2020521577.tif 000013